(57)【要約】【課題】介助作業が行い易い介助器具を提供する。【解決手段】介助器具１は、座部２０と、座部２０に座る利用者が背をもたせかける背凭れ部３０とを備える。背凭れ部１０は、座部２０に対して直動不能に設けられる第１の部分３１と、第１の部分３１に対してスライド可能に重ねられて座部２０に対して直動する第２の部分３２と、を備える。【選択図】図１
2016067833.tif 000002
【特許請求の範囲】
【請求項１】
座部と、前記座部に座る利用者が背をもたせかける背凭れ部とを備える介助器具であって、
前記背凭れ部は、第１の部分と、前記第１の部分にスライド可能に重ねられる第２の部分と、を備えることを特徴とする介助器具。
【請求項２】
前記第１の部分は、前記座部に対して直動不能に設けられ、
前記第２の部分は、前記第１の部分に対してスライドすることによって前記座部に対して直動することを特徴とする請求項１に記載の介助器具。
【請求項３】
前記第２の部分は、前記座部に座る利用者の背に当接する当接部材を含むことを特徴とする請求項１又は２に記載の介助器具。
【請求項４】
前記第２の部分は、前記第１の部分に対してスライドすることによって、前記第１の部分の上端部より突出した上端部を下降可能に設けられていることを特徴とする請求項１から３のいずれか１項に記載の介助器具。
【請求項５】
前記第２の部分の上端部は、前記第１の部分の上端部と同等又はそれ以下の高さ位置に下降可能に設けられていることを特徴とする請求項４に記載の介助器具。
【請求項６】
前記第１の部分に比べて前記第２の部分の方が、前記座部に近い側に配置されていることを特徴とする請求項１から５のいずれか１項に記載の介助器具。
【請求項７】
前記座部と前記第１の部分との間には、前記第２の部分をスライド可能とする隙間が形成されていることを特徴とする請求項６に記載の介助器具。
【請求項８】
前記第１の部分は、前記座部に対して傾斜変更可能に設けられていることを特徴とする請求項１から７のいずれか１項に記載の介助器具。
【請求項９】
前記座部及び前記背凭れ部を支持する脚部を更に備えることを特徴とする請求項１から８のいずれかに１項に記載の介助器具。
【請求項１０】
前記脚部には、車輪が含まれることを特徴とする請求項９に記載の介助器具。
【発明の詳細な説明】
【技術分野】
【０００１】
本発明は、体が不自由で介助が必要な者（要介助者）を介助する際に用いる介助器具に関する。
【背景技術】
【０００２】
従来、要介助者を座らせたままの姿勢で体の洗浄を行ったり、入浴させたりする入浴用椅子が知られている。例えば特許文献１には、座らせたままの姿勢で要介助者の背中を洗い易いように、背凭れが後方に傾倒可能に設けられた介護用シャワーチェアが開示されている。
【０００３】
また、特許文献２には、背凭れ部と座部とを連結するパイプを、略上下方向で位置可変に保持する保持装置と、前記背凭れ部を最上昇位置と最下降位置とに固定するための係止機構と、を備える入浴用椅子が開示されている。保持装置は、前記座部の下部側に設けられて前記パイプの移動をガイドするガイド管部を含む。椅子の利用者（要介助者）が椅子に腰を掛ける時には、通常、背凭れ部は最上昇位置に固定され、例えば利用者の背中が洗われる場合に、背凭れ部が最下降位置に移動される。
【先行技術文献】
【特許文献】
【０００４】
【特許文献１】特開平７−１５５３５９号公報
【特許文献２】特開２００４−８６５７号公報
【発明の概要】
【発明が解決しようとする課題】
【０００５】
特許文献１に開示される介護用シャワーチェアにおいては、背凭れを後方に倒すスペースが必要となるために、体を洗うために使用される浴室が狭い場合等に不都合が生じる。また、背凭れを倒す際に、介助者は、シャワーチェアの背後から離れる必要があるために、介助作業が手間になる場合がある。更に、背凭れを倒しても背面側にパイプが残るために、後方から要介助者を抱えにくい。
【０００６】
また、特許文献２に開示される入浴用椅子においては、背凭れ部を上下できるように、パイプの上下方向の広い範囲に背凭れ部を設けることができず、背面に大きな開口が生じる。このために、特許文献２に開示される構成は、リクライニング機構を有する椅子には適用し難い。
【０００７】
以上の点に鑑みて、本発明の目的は、介助作業が行い易い介助器具を提供することである。また、本発明の他の目的は、入浴時の介助作業が行い易い介助器具を提供することである。更に、本発明の他の目的は、リクライニング機構を備えつつ、介助作業が行い易い椅子を提供することである。
【課題を解決するための手段】
【０００８】
上記目的を達成するために本発明の介助器具は、座部と、前記座部に座る利用者が背をもたせかける背凭れ部とを備える介助器具であって、前記背凭れ部は、第１の部分と、前記第１の部分にスライド可能に重ねられる第２の部分と、を備える構成（第１の構成）になっている。
【０００９】
本構成によれば、第２の部分を第１の部分に対してスライドさせることによって、簡単に、背凭れ部全体の高さを低くすることが可能である。このために、本構成によれば、座部に座る利用者を後方から抱え上げ易い状態や、入浴時に背中を洗い易い状態を簡単に得ることができ、介助者は介助作業を行い易い。
【００１０】
上記第１の構成の介助器具において、前記第１の部分は、前記座部に対して直動不能に設けられ、前記第２の部分は、前記第１の部分に対してスライドすることによって前記座部に対して直動する構成（第２の構成）であるのが好ましい。なお、直動は、直線状に動くことを指す。また、前記第２の部分は、前記座部に対して上下方向に直動するのが好ましい。上下方向は、鉛直方向に限らず、鉛直方向に対して傾いた方向も含む（この点は、以下についても同様である）。
【００１１】
上記第１又は第２の構成の介助器具において、前記第２の部分は、前記座部に座る利用者の背に当接する当接部材を含む構成（第３の構成）であるのが好ましい。
【００１２】
上記第１から第３のいずれかの構成の介助器具において、前記第２の部分は、前記第１の部分に対してスライドすることによって、前記第１の部分の上端部より突出した上端部を下降可能に設けられている構成（第４の構成）であるのが好ましい。本構成によれば、介助作業時に背凭れ部が邪魔になることを避けられる。
【００１３】
上記第４の構成の介助器具において、前記第２の部分の上端部は、前記第１の部分の上端部と同等又はそれ以下の高さ位置に下降可能に設けられている構成（第５の構成）であってよい。なお、同等とは、第２の部分の上端部と、第１の部分の上端部との高さ位置が全く同じ場合だけではなく、両者の高さ位置が上下方向に多少ずれている場合も含む。
【００１４】
上記第１から第５のいずれかの構成の介助器具において、前記第１の部分に比べて前記第２の部分の方が、前記座部に近い側に配置されている構成（第６の構成）が採用されてよい。本構成によれば、背凭れ部における利用者の背と当接する側について、不要な段差が発生しないようにできる。
【００１５】
上記第６の構成の介助器具において、前記座部と前記第１の部分との間には、前記第２の部分をスライド可能とする隙間が形成されている（第７の構成）のが好ましい。本構成によれば、背凭れ部における利用者の背に当たる部分を大きく確保しつつ、第２の部分を第１の部分に対して大きくスライドできる。
【００１６】
上記第１から第７のいずれかの構成の介助器具において、前記第１の部分は、前記座部に対して傾斜変更可能に設けられている構成（第８の構成）であるのが好ましい。本構成によれば、リクラニング機構が得られるために便利である。
【００１７】
上記第１から第８のいずれかの構成の介助器具は、前記座部及び前記背凭れ部を支持する脚部を更に備える構成（第９の構成）であってよい。本構成によれば、介助作業が行い易い椅子を提供できる。
【００１８】
上記第９の構成の介助器具において、前記脚部には、車輪が含まれてよい（第１０の構成）。本構成によれば、介助作業を行い易い車椅子を提供できる。
【発明の効果】
【００１９】
本発明によれば、介助作業が行い易い介助器具を提供できる。また、本発明によれば、入浴時の介助作業が行い易い介助器具を提供できる。また、本発明によれば、リクライニング機構を備えつつ、介助作業が行い易い椅子を提供できる。
【図面の簡単な説明】
【００２０】
【図１】本発明の実施形態に係る車椅子の構成を示す概略側面図
【図２】本発明の実施形態に係る車椅子が備える背凭れ部の後面（背面）の構成を示す概略平面図
【図３】図２のＡ−Ａ位置における概略断面図
【図４】図２のＢ−Ｂ位置における概略断面図
【図５】図２のＣ−Ｃ位置における概略断面図
【図６】本発明の実施形態に係る車椅子の作用について説明するための模式図
【図７】本発明の実施形態に係る車椅子の効果について説明するための模式図
【図８】本発明の実施形態に係る車椅子の効果について説明するための別の模式図
【図９】本発明の実施形態に係る車椅子の変形例を説明するための図
【発明を実施するための形態】
【００２１】
以下、本発明の実施形態に係る介助器具について、図面を参照しながら詳細に説明する。なお、ここでは、本発明が入浴用の車椅子に適用された場合を例に挙げて説明する。また、以下においては、車椅子（座部）に座る利用者を基準として前後左右の表現を用いる。
【００２２】
図１は、本発明の実施形態に係る車椅子１の構成を示す概略側面図である。なお、図１には、本発明の理解を容易とするために、車椅子１に座る利用者（要介助者）Ｍも示されている。図１に示すように、車椅子１は、４つの車輪１１を含む脚部１０を備えている。４つの車輪１１は、前方に配置される２つのキャスター１１ａ（前輪）と、後方に配置されると共に、キャスター１１ａよりも径が大きい２つの主輪１１ｂ（後輪）と、によって構成されている。
【００２３】
なお、主輪１１ｂには、複数のスポークが含まれるが、説明の便宜上、図１においてはスポークが省略されている。また、脚部１０には、主輪１１ｂのロックとロック解除とを可能にするレバー１２が設けられている。
【００２４】
脚部１０上には、利用者が座る座部２０が設けられている。座部２０は、脚部１０を構成するフレーム（例えば金属製）の上に座面部材２１を固着することによって構成されている。なお、座面部材２１は、単一の素材で構成されてもよいし、複数の素材で構成されてもよい。座面部材２１は、例えば、金属板上にＥＶＡ（Ethylene-Vinyl Acetate）等の樹脂を取り付けた部材等であってよい。
【００２５】
座部２０の後方には、脚部１０を構成するフレームに取り付けられて、斜め上後方に延びる背凭れ部３０が設けられている。背凭れ部３０は、座部２０に座った利用者Ｍが背をもたせかけるものである。背凭れ部３０には、安全のためのベルト３０１や、利用者Ｍが頭を載せる枕３０２等が適宜取り付けられる。また、背凭れ部３０は、リクライニング機構４０によって後方に倒すことができ、座位から臥位まで複数段階の角度に調節できる。背凭れ部３０及びリクライニング機構４０の詳細については後述する。
【００２６】
座部２０の前方には、脚部１０を構成するフレームに取り付けられて、斜め下前方に延びるフットレスト部５０が設けられている。フットレスト部５０の先端には、足を載せる足載せ５１が設けられている。フットレスト部５０を構成するフットレストフレーム５２（例えば金属製）は、脚部１０を構成するフレームに対して回動可能（鉛直面内で回動可能）に設けられている。フットレストフレーム５２上には、脚当部材５３（例えばＥＶＡ素材等で構成される）が固着されている。
【００２７】
フットレストフレーム５２は、リンクバー１３を介して背凭れ部３０のリクライニング動作に連動して動く部材４４に連結されている。このために、リクライニング機構４０による背凭れ部４０の傾斜変更に連動してリンクバー１３が動き、これにより、フットレストフレーム５２も動く。すなわち、フットレスト部５０は、背凭れ部３０のリクラニング動作に連動して、その角度を変更する。
【００２８】
次に、図１に加えて、図２から図５も参照しながら、車椅子１が備える背凭れ部３０の詳細について説明する。なお、図２は、本発明の実施形態に係る車椅子１が備える背凭れ部３０の後面（背面）の構成を示す概略平面図である。また、図３は、図２のＡ−Ａ位置における概略断面図である。また、図４は、図２のＢ−Ｂ位置における概略断面図である。また、図５は、図２のＣ−Ｃ位置における概略断面図である。ただし、図３においては、後述するベアリング部材３４、３５及びレール３７が省略されている。また、図５においては、背凭れ部３０の背凭れ面が座面に対して略垂直になった場合を想定した図である。
【００２９】
背凭れ部３０は、脚部１０を構成するフレームに回動可能（鉛直面内で回動可能）に取り付けられる第１の部分３１と、第１の部分３１の前方（座部２０に近い側）に重ねて配置される第２の部分３２と、を備えている。なお、第１の部分３１は、脚部１０及び座部２０に対して直線状に動くことはできない（直動不能に設けられている）。
【００３０】
第１の部分３１は、略逆Ｕ字状に形成される第１メインフレーム３１１を含む。例えば金属によって構成される第１メインフレーム３１１の下端（２つある）は、回動軸３３（図１、図５参照）を中心として回動できるように、脚部１０を構成するフレームに取り付けられている。第１メインフレーム３１１の上端側は、車椅子１の走行を操作する際のハンドルとして使用し易いように、後方に折り曲げられている。また、第１の部分３１は、第１メインフレーム３１１の左右端を連結する２つの連結板３１２、３１３を含む。２つの連結板３１２、３１３は、上下方向に間隔をあけて配置されている。
【００３１】
第１の連結板３１２には、左右に対称配置される一対のベアリング部材３４が取り付けられている。また、同様に、第２の連結板３１３にも一対のベアリング部材３５が取り付けられている。ベアリング部材３４、３５は、連結板３１２、３１３の前面側（第２の部分３２に対向する面側）に取り付けられている。また、２つの連結板３１２、３１３のうち、上側の連結板３１２の中央部には、ロック部材３６が取り付けられている。ロック部材３６は、例えばインデックスプランジャーによって構成できる。ロック部材３６は、連結板３１２の後面側に取り付けられており、連結板３１２前面側から突出するロックピン（ロック部材３６に含まれる）の突出量を調整可能に設けられている。
【００３２】
第２の部分３２は、略矩形の枠状に形成される第２メインフレーム３２１を含む。図２に示すように、第２メインフレーム３２１は、第１メインフレーム３１１に比べて左右方向の幅が狭い。例えば金属によって構成される第２メインフレーム３２１の前面側には、背当部材３２２が取り付けられている。背当部材３２２は、単一の素材で構成されてもよいし、複数の素材で構成されてもよい。本実施形態においては、背当部材３２２は、金属板３２２ａ上にＥＶＡ（Ethylene-Vinyl Acetate）等の樹脂３２２ｂを取り付けて構成している。樹脂３２２ｂ側が、利用者の背に当接する。なお、背当部材３２２は、本発明の当接部材の一例である。
【００３３】
背当部材３２２の後面（背面側）の左右には、一対のレール３７が設けられている。一対のレール３７には、それぞれ、第１の部分３１に含まれるベアリング部材３４、３５が係合されている。そして、これにより、第１の部分３１に重ねて配置される第２の部分３２は、第１の部分３１にスライド可能に連結されている。
【００３４】
また、背当部材３２２の後面の中央には、断面視略コの字状（図３参照）の係合片３８が取り付けられている。この係合片３８の上下には、ロック部材３６のロックピンと係合する係合穴３８１が設けられている。図１から図５においては、ロック部材３６は、上下の係合穴３８１のうち、下側の係合穴３８１と係合している。そして、このロック部材３６と係合穴３８１との係合によって、第２の部分３２は、第１の部分３１に対して固定された状態になっている。
【００３５】
リクライニング機構４０は、図１及び図２にからわかるように、第１の部分３１を構成する第１メインフレーム３１１の左端に取り付けられる操作レバー４１を備える。なお、図２においては、リクラニング機構４０は省略されている。
【００３６】
操作レバー４１を引き上げると、第１メインフレーム３１１に回動可能に取り付けられる切替片４２が回動する（図１において反時計回り方向に回転する）。この回動で、切替片４２の調整溝４２ａと、脚部１０のフレームに固着される係合ピン１４との係合が外れ、第１の部分３１が脚部１０のフレームに対して回動可能になる。この結果、背凭れ部３０を後方に倒すことが可能になる。調整溝４２ａが複数設けられているために、背凭れ部３０を倒す量は、複数段階に調節できる。
【００３７】
なお、操作レバー４１に対して引き上げる力が加えられていない場合には、付勢部材４３の付勢力によって、切替片４２には時計回り方向に回動する力が加えられる。このために、操作レバー４１が引き上げられていない場合には、調整溝４２ａと係合ピン１４とが係合した状態が維持される。
【００３８】
次に、以上のように構成される本実施形態の車椅子１の作用について説明する。車椅子１は、通常時においては、図１に示すように、背凭れ部３０の第１の部分３１が第２の部分３２に対して大きく突出した状態になっている。図１に示す状態（通常使用状態）から、ロック部材３６を操作して、ロック部材３６（詳細にはロックピン）と係合穴３８１（下側の係合穴）との係合を解除する。
【００３９】
すると、背凭れ部３０は、第１の部分３１に対して第２の部分３２がスライド可能になる。このために、図６に示すように、第２の部分３２を下降可能になる。第２の部分３２が所定量下げられると、ロック部材３６のロックピンを、もう一つの係合穴３８１（上側の係合穴）と係合させて、第２の部分３２の第１の部分３１に対するスライドを規制することが可能になる。すなわち、第２の部分３２を第１の部分３１に固定できるようになる。本構成によれば、背凭れ部３０の高さを低くするにあたって、背凭れ部３０を後方に倒す必要がないために、狭いスペースでも利用者Ｍの背中側を簡単に露出して介助作業を行える。
【００４０】
なお、本実施形態の車椅子１においては、第２の部分３２を第１の部分３１に対して大きく下げられるように、第１の部分３１と座部２０との間には隙間Ｓ（図５参照）が形成されている。また、第２の部分３２が下げられて、ロック部材３６と係合穴３８１とが係合した状態においては、第２の部分３２の上部の高さは、第１の部分３１の上部の高さと同等の高さになる（図５参照）。ただし、これは一例であり、第１の部分３１と、下げられた第２の部分３２との高さ関係は、本実施形態の構成から適宜変更されてよい。
【００４１】
第２の部分３２を下げると、図７（ａ）に示すように、介助者Ｋは、背凭れ部３０に邪魔されることなく、楽な姿勢で車椅子１の利用者Ｍを抱える等の作業を行える。また、図７（ｂ）に示すように、介助者Ｋは、利用者Ｍを大きく前かがみさせることなく、背中を洗い流す等の作業を行える。なお、図７は、本発明の実施形態に係る車椅子１の効果について説明するための模式図である。
【００４２】
また、本実施形態の車椅子１によれば、背凭れ部３０の高さを下げられるように構成したにもかかわらず、図８に示すように、背凭れ部３０をリクラニングさせた場合において、利用者Ｍの背中を背当部材３２２でしっかりと支えることができる。このために、本実施形態の車椅子１は、従来の椅子（例えば特許文献２の椅子等）に比べて、安全且つ便利である。なお、図８は、本発明の実施形態に係る車椅子１の効果について説明するための別の模式図である。
【００４３】
以上に示した実施形態は、本発明の例示にすぎない。以上に示した実施形態の構成は、本発明の技術的思想を超えない範囲で適宜変更されて構わない。
【００４４】
例えば、以上に示した実施形態では、背凭れ部３０の第１の部分３１と第２の部分３２とは、ベアリング部材３４、３５及びレール３７を介することによってスライド可能に連結される構成とした。しかし、この構成は一例にすぎない。
【００４５】
例えば図９に示すように、第１の部分３１と第２の部分３２とは、直接、スライド可能に連結される構成でも構わない。図９においては、第１の部分３１を構成する第１メインフレーム３１１の左右端に設けられる第１のフック片３１１１と、第２の部分３２を構成する背当部材３２２の左右端に設けられる第２のフック片３２２１とがスライド移動可能に係合した構成になっている。なお、図９に示す変形例では、第２の部分３２は、第２メインフレーム３２１を有さない。
【００４６】
また、以上に示した構成においては、背凭れ部３２を構成する、前後に重ねられる２つの部分３１、３２のうち、前側の部分３２が後側の部分３１に対してスライド移動する構成にしたが、これは一例にすぎない。すなわち、背凭れ部３２を構成する、前後に重ねられる２つの部分のうち、後側の部分が前側の部分に対してスライド移動する構成としてもよい。この場合には、２つの部分の高さ関係、座部２０に座った利用者Ｍと当接する部材の配置の仕方、ロック部材の位置等を適宜変更する必要がある。
【００４７】
その他、以上に示した構成においては、車椅子１がリクラニング機構４０を備える構成としたが、リクラニング機構４０は場合によっては備えられなくてもよい。また、本発明は、車輪１１が無い椅子に対しても適用可能である。また、本発明は、入浴用以外の椅子に適用されても構わない。更に、本発明は、座部と背凭れ部とを有する介助器具に対して広く適用可能であり、例えば、椅子以外に簡易トイレ等に適用されても構わない。
【符号の説明】
【００４８】
１  車椅子（介助器具）
１０  脚部
１１  車輪
２０  座部
３０  背凭れ部
３１  第１の部分
３２  第２の部分
３２２  背当部材（当接部材）
Ｍ  利用者
Ｓ  隙間
【図１】
2016067833.tif 000003
【図２】
2016067833.tif 000004
【図３】
2016067833.tif 000005
【図４】
2016067833.tif 000006
【図５】
2016067833.tif 000007
【図６】
2016067833.tif 000008
【図７】
2016067833.tif 000009
【図８】
2016067833.tif 000010
【図９】
2016067833.tif 000011